(57)【特許請求の範囲】
【請求項１】
主流入口が形成され、ウォーターベッド式マッサージ機のウォータマットレスシートの流出口が接続された主流入接続部と、
主流出口が形成され、ポンプの吸入口に接続された流入管が接続された主流出接続部と、
前記主流入口と前記主流出口との間に形成された主流路と、
前記主流路から分岐された分流流出路と、
分流流出口が形成され、液体の温度を調節する温度調節器の流入口に接続された分流流出管が接続された前記分流流出路先端の分流流出接続部と、
前記分流流出路と前記主流出口との間の前記主流路に形成された分流流入路と、
分流流入口が形成され、前記温度調節器の流出口に接続された分流流入管が接続された前記分流流入路先端の分流流入接続部と、
基部が前記分流流入口に接続され、先端が前記主流出口近傍の前記主流路の中央部に開口したパイプとを備え、
前記ポンプの吐出口に接続された吐出用流出管が前記ウォータマットレスシートの流入口に接続され、
前記パイプ先端の外側を流れる前記主流路の液体により、前記パイプ内の液体を吸引して前記主流出口から、前記ポンプの吸入口に接続された前記流入管に流出するようにしたことを特徴とする液流分配継手。
【請求項２】
主流入接続部にねじ部が形成されるとともに前記ねじ部の先端につば部が形成され、
前記ねじ部に螺合したナットと前記つば部との間に、パッキンを介してウォータマットレスシートを挟持したことを特徴とする請求項１記載の液流分配継手。
【請求項３】
パッキンとナットとの間に、前記ナットの外径より大きい外径の補助プレートを設けたことを特徴とする請求項２記載の液流分配継手。
【請求項４】
分流流出接続部、分流流入接続部及び主流出接続部をユニオン継手としたことを特徴とする請求項１、請求項２または請求項３記載の液流分配継手。
【発明の詳細な説明】
【０００１】
【発明の属する技術分野】
本発明は、液流の一部を分流したのち合流する液流分配継手に関し、ウォーターベッド式マッサージ機のウォータマットレスの水等液体の一部を分流して冷却または加熱し、合流して液体の温度を調節するのに適した液流分配継手に関する。
【０００２】
【従来の技術】
従来の液流分配継手を図３を参照して説明する。同図において、１は主流入口２が形成され、主流入体（図示せず）が接続される主流入接続部、３は主流出口４が形成され、ポンプ等吸引用主流出体（図示せず）が接続される主流出接続部、５は主流入口２と主流出口４との間に形成された主流路、６は主流路５から分岐された分流流出路、７は分流流出口８が形成され、分流流出管（図示せず）が接続される分流流出路６先端の分流流出接続部、９は分流流出路６と主流出口４との間の主流路５に形成された分流流入路、１０は分流流入口１１が形成され、分流流入管（図示せず）が接続される分流流入路９先端の分流流入接続部である。
【０００３】
そして、例えば、主流入接続部１に、水が充満された容器が接続されるとともに、主流出接続部３に、ポンプへの吸引用パイプが接続され、ポンプからの流出用パイプが前記容器に接続され、かつ、分流流出接続部７に、クーラへの分流流出管が接続されるとともに、分流流入接続部１０にクーラからの分流流入管が接続される。
【０００４】
主流出接続部３に接続されたポンプにより、主流出口４に吸引力が発生し、主流入口２から容器の水が吸引され、主流路５を流れる水の一部が、分流流出路６、分流流出口８、クーラを経、分流流入口１１、分流流入路９から主流路５に合流し、主流出口４に流れ、さらに、ポンプを経て容器に環流し、容器の水が冷却される。
【０００５】
【発明が解決しようとする課題】
従来の前記液流分配継手の場合、主流路５から分流流出路６に流れる水量が少なく、また、分流流入路９から主流路５への合流点で、主流路５の水流と干渉し、分流流出路６からクーラを経て分流流入路９に流れる水が、滞留気味になり、クーラによる冷却効果が悪いという問題点がある。
【０００６】
その上、主流路５のわん曲部が多く、エルボ継手を使用せねばならず、配管損失が大であり、配管スペースも大きくなるという問題点がある。
【０００７】
また、容器の水を冷却するために、液流分配継手を使用せず、直接クーラに接続するようにすると、クーラに接続する管の口径が、ポンプ吸入管の口径と同径を必要とし、クーラ自体を大形のものにせねばならず、全体としての装置が大形になり、高価になる。
【０００８】
本発明は、前記の点に留意し、主流路の液体の一部を適宜分流したのち合流し、分流液体の滞留を防いで液体の温度調節を可能にし、ウォータベッド式マッサージ機のウォータマットレスの液体を所定の温度に調節できる液流分配継手を提供することを目的とする。
【０００９】
【課題を解決するための手段】
前記目的を達成するために、本発明の請求項１記載の液流分配継手は、主流入口が形成され、ウォーターベッド式マッサージ機のウォータマットレスシートの流出口が接続された主流入接続部と、主流出口が形成され、ポンプの吸入口に接続された流入管が接続された主流出接続部と、
前記主流入口と前記主流出口との間に形成された主流路と、前記主流路から分岐された分流流出路と、分流流出口が形成され、液体の温度を調節する温度調節器の流入口に接続された分流流出管が接続された前記分流流出路先端の分流流出接続部と、前記分流流出路と前記主流出口との間の前記主流路に形成された分流流入路と、分流流入口が形成され、前記温度調節器の流出口に接続された分流流入管が接続された前記分流流入路先端の分流流入接続部と、
基部が前記分流流入口に接続され、先端が前記主流出口近傍の前記主流路の中央部に開口したパイプとを備え、前記ポンプの吐出口に接続された吐出用流出管が前記ウォータマットレスシートの流入口に接続され、前記パイプ先端の外側を流れる前記主流路の液体により、前記パイプ内の液体を吸引して前記主流出口から、前記ポンプの吸入口に接続された前記流入管に流出するようにしたものである。
【００１０】
前記のように構成された液流分配継手は、主流入接続部の主流入口が、ウォータベッド式マッサージ機のウォータマットレスシートの流出口に接続され、
主流出接続部の主流出口が、ポンプの吸入口に接続された流入管に接続され、
ポンプの吐出口に接続された吐出用流出管が、ウォータマットレスシートの流入口に接続され、
主流入口と主流出口との間の主流路から分岐された分流流出路先端の分流流出接続部の分流流出口に、液体の温度を調節する温度調節器の流入口に接続された分流流出管が接続され、
分流流出路と主流出口との間の分流流入接続部の分流流入口に、温度調節器の流出口に接続された分流流入管が接続され、
基部が分流流入口に接続されたパイプの先端が、主流出口近傍の主流路の中央部に開口し、
パイプ先端の外側を流れる主流路の液体により、パイプ内の液体を吸引して主流出口から、ポンプの吸入口に接続された流入管に流出するようにしたため、
分流流出口から温度調節器に分流した液体の滞留を防止することができ、分流液体を冷却または加熱し、主流出口から流出する液体を所望の温度に調節することができ、ポンプからのウォータマットレスの液体を所望の温度に調節できる。
【００１３】
つぎに、請求項２記載の発明は、請求項１記載の液流分配継手において、主流入接続部にねじ部が形成されるとともに前記ねじ部の先端につば部が形成され、前記ねじ部に螺合したナットと前記つば部との間に、パッキンを介してウォータマットレスシートを挟持したものである。
【００１４】
前記のように構成された請求項２記載の液流分配継手は、ウォータマットレスシートが接続された主流入接続部において、ねじ部とねじ部の先端につば部が形成され、ねじ部にナットが螺合しているため、流出口の形成されたシートを拡開してつば部内側にはめ込み、ナットを締め込むことにより、シートをつば部とナットとの間にパッキンを介して挟持することができ、シートの主流入接続部への接続を確実にすることができる。
【００１５】
さらに、請求項３記載の発明は、請求項２記載の液流分配継手において、パッキンとナットとの間に、前記ナットの外径より大きい外径の補助プレートを設けたものである。
【００１６】
この場合、ナットの外径より大きい外径の補助プレートが設けられているため、シートを安定した状態で支持することができ、ナットの外側からシートが下方へ垂れ下がることが防止される。
【００１７】
つぎに請求項４記載の発明は、請求項１、請求項２または請求項３記載の液流分配継手において、分流流出接続部、分流流入接続部及び主流出接続部をユニオン継手としたものである。
【００１８】
この場合、接続部がユニオン継手になっているため、温度調節器、ポンプ等への配管接続を容易にすることができる。
【００１９】
【発明の実施の形態】
本発明の実施の１形態を図１を参照して説明する。同図において、図３と同一符号は同一もしくは相当するものを示す。
本形態の液流分配継手０は、合成樹脂製の主流入ブロックＡと分流流出ブロックＢと分流流入・主流出ブロックＣの３ブロックＡ、Ｂ、Ｃが連結されて構成されている。
【００２０】
上部に位置した主流入ブロックＡは、主流入接続部１であり、筒体１２の周面にねじ部１３が形成され、ねじ部１３の先端、即ち筒体１２の上端につば部１４が形成されている。ねじ部１３にはナット１５が螺合し、つば部１４とナット１５との間にパッキン１６と、ナット１５の外径より大きい外径のアルミ製補助プレート１７が挿入されている。筒体１２の内面には接続筒１８が接着され、接続筒１８の下端部が筒体１２の下端から若干導出され、接続筒１８の内側に主流路５が形成されている。
【００２１】
中央部に位置した分流流出ブロックＢは、Ｔ形パイプ１９を横置き、即ち９０度左回転した状態のものであり、Ｔ形パイプ１９の右端部内面に筒状の分流流出接続体２０が接着され、分流流出接続体２０の内側に分流流出路６が形成されるとともに、分流流出路６の先端に分流流出口８が形成され、分流流出接続体２０の先端部に分流流出接続部７が形成されている。この分流流出接続部７の周面にユニオン継手を構成する螺溝２１が形成され、分流流出接続部７端面の環状パッキン溝にパッキン２２が嵌まっている。この分流流出ブロックＢの上端部は、主流入ブロックＡ下端部、即ち筒体１２の下面及び接続筒１８の下端導出部に接着されている。
【００２２】
下部に位置した分流流入・主流出ブロックＣは、Ｔ形パイプ２３を上下逆にしたものであり、Ｔ形パイプ２３の右端部内面に接続筒２４を介して筒状の分流流入接続体２５が接着され、分流流入接続体２５の内側に分流流入路９が形成されるとともに、分流流入路９の先端に分流流入口１１が形成され、分流流入接続体２５の先端部に分流流入接続部１０が形成されている。この分流流入接続部１０の周面にユニオン継手を構成する螺溝２６が形成され、分流流入接続部１０の端面の環状パッキン溝にパッキン２７が嵌まっている。
【００２３】
Ｔ形パイプ２３の左端部に内面の接続筒２８を介して筒状の主流出接続体２９が接着され、主流出接続体２９の内側、即ち接続筒２８の内側先端に主流出口４が形成され、主流出接続体２９の先端部に主流出接続部３が形成され、この主流出接続部３の周囲にユニオン継手を構成する環状膨出部３０が形成され、主流出接続部３端面の環状パッキン溝にパッキン３１が嵌まっている。
【００２４】
前記分流流入接続体２５の内面にパイプ３２の基部が接着され、パイプ３２の基部が分流流入口１１に連通し、パイプ３２の先端が、主流出口４の近傍、即ち接続筒２８の内側に位置し、接続筒２８内主流路５の中央部に開口している。
【００２５】
前記液流分配継手０は、ウォータベッド式マッサージ機に使用され、ウォータマットレス３３底板シート３３ａの流出口が拡開され、液流分配継手０頂部のつば部１４上面から押し込まれ、流出口周辺のシート３３ａがつば部１４下面に位置し、シート３３ａの下面にパッキン１６が当てがわれ、ナット１５の締め付けにより補助プレート１７を介してパッキン１６が圧縮され、シート３３ａがつば部１４とナット１５との間にパッキン１６、補助プレート１７を介して挟持される。
【００２６】
この時、補助プレート１７の外径がナット１５の外径より大きいため、シート３３ａを安定した状態で支持することができ、シート３３ａがナット１５の外側から下方へ垂れ下がることがない。
【００２７】
分流流出接続部７には、分流流出管３４の一端がユニオン継手により接続され、その分流流出管３４の他端が、温度調節器であるクーラ３５の流入口に接続され、クーラ３５の流出口に一端が接続された分流流入管３６の他端が、ユニオン継手により分流流入接続部１０に接続されている。
【００２８】
主流出接続部３には、ポンプ３７の吸入口に接続された流入管３８がユニオン継手により接続され、ポンプ３７の吐出口に接続された吐出用流出管３９が、マットレス３３のシート３３ａの流入口に接続され、その流入口はウォータマットレス３３内の、図２に示すような水噴射手段４０に接続されている。この水噴射手段４０はプロペラ状に回転自在であり、水流により回転しつつ噴射口４１からマットレス３３の上板に向け下方から水を噴射し、マットレス３３上に仰臥する人体にマッサージを行う。
【００２９】
前記液流分配継手０は、分流流出ブロックＢにＴ形パイプ１９、分流流入・主流出ブロックＣにＴ形パイプ２３をそれぞれ用い、分流流出ブロックＢのＴ形パイプ１９に、主流入ブロックＡを接続筒１８を介して接着するとともに、端部にユニオン継手の螺溝２１を形成した分流流出接続体２０を接着し、かつ、分流流入・主流出ブロックＣのＴ形パイプ２３を接着し、分流流入・主流出ブロックＣのＴ形パイプ２３に、接続筒２４を介して端部にユニオン継手の螺溝２６を形成した分流流入接続体２５を接着するとともに、接続筒２８を介して端部にユニオン継手の環状膨出部３０を形成した主流出接続体２９を接着しているため、液流分配継手０をきわめて簡単に安価に構成することができる。
【００３０】
つぎに、動作について説明する。図１の状態において、ポンプ３７の駆動により流出管３９を経た吐出液が、前記の通り、前記水噴射手段４０に供給され、回転する噴射口４１から噴出し、マットレス３３上の人体にマッサージを行う。
【００３１】
一方、ポンプ３７の吸引力により、流入管３８を介して主流出口４の水を吸引し、マットレス３３内の水が主流入口２から主流路５に流入し、主流路５の一部の水が、主流路５から分岐された分流流出路６に流入し、分流流出管３４を経てクーラ３５に流入し、クーラ３５により冷却され、分流流入管３６を経てパイプ３２に流れる。
【００３２】
パイプ３２先端の開口が主流出口４近傍の主流路５に開口しているため、パイプ３２先端の外側を流れる主流路５の水により、パイプ３２内の水が吸引され、分流流出路６からクーラ３５へ流れる水が滞留することが防止される。そして、ポンプ３７により昇温した循環水は、その一部の水がクーラ３５により冷却され、マットレス３３内の水の温度調節がされる。
【００３３】
つぎに図２は、マットレス３３内に複数個の水噴射手段４０が設けられた場合を示し、ポンプ３７の流出管３９から分岐管４２が分岐され、各分岐管４２にそれぞれ自動開閉バルブ４３が設けられ、各分岐管４２に各水噴射手段４０が接続され、各自動開閉バルブ４３の種々の自動制御により各水噴射手段４０が作動し、マッサージを行う。
【００３４】
なお、前記形態は水について説明したが、本発明は水以外の液体にも適用され、クーラ３５が加熱器であってもよいのは勿論である。
【００３５】
【発明の効果】
本発明は、以上説明したように構成されているので、以下に記載されるような効果を奏する。
請求項１記載の液流分配継手は、主流入接続部１の主流入口２が、ウォータベッド式マッサージ機のウォータマットレス３３シート３３ａの流出口に接続され、
主流出接続部３の主流出口４が、ポンプ３７の吸入口に接続された流入管３８に接続され、
ポンプ３７の吐出口に接続された吐出用流出管３９が、ウォータマットレス３３シート３３ａの流入口に接続され、
主流入口２と主流出口４との間の主流路５から分岐された分流流出路６先端の分流流出接続部７の分流流出口８に、液体の温度を調節する温度調節器の流入口に接続された分流流出管３４が接続され、
分流流出路６と主流出口４との間の分流流入接続部１０の分流流入口１１に、温度調節器の流出口に接続された分流流入管３６が接続され、
基部が分流流入口１１に接続されたパイプ３２の先端が、主流出口４近傍の主流路５の中央部に開口し、
パイプ３２先端の外側を流れる主流路５の液体により、パイプ３２内の液体を吸引して主流出口４から、ポンプ３７の吸入口に接続された流入管３８に流出するようにしたため、
分流流出口８から温度調節器に分流した液体の滞留を防止することができ、分流液体を冷却または加熱し、主流出口４から流出する液体を所望の温度に調節することができ、ポンプ３７からのウォータマットレス３３の液体を所望の温度に調節できる。
【００３７】
請求項２記載の液流分配継手は、ウォータマットレス３３シート３３ａが接続される主流入接続部１において、ねじ部１３とねじ部１３の先端につば部１４が形成され、ねじ部１３にナット１５が螺合しているため、流出口の形成されたシート３３ａを拡開してつば部１４内側にはめ込み、ナット１５を締め込むことにより、シート３３ａをつば部１４とナット１５との間にパッキン１６を介して挟持することができ、シート３３ａの主流入接続部１への接続を確実にすることができる。
【００３８】
さらに、請求項３記載の発明は、請求項２記載の液流分配継手において、ナット１５の外径より大きい外径の補助プレート１７が設けられているため、シート３３ａを安定した状態で支持することができ、ナット１５の外側からシート３３ａが下方へ垂れ下がることを防止することができる。
【００３９】
つぎに請求項４記載の発明は、請求項１、請求項２または請求項３記載の液流分配継手において、分流流出接続部７、分流流入接続部１０及び主流出接続部３がユニオン継手になっているため、温度調節器、ポンプへの配管接続を容易にすることができる。
【図面の簡単な説明】
【図１】本発明の実施の１形態の断面図である。
【図２】図１の他の使用例を示す概略図である。
【図３】従来例の断面図である。
【符号の説明】
１  主流入接続部
２  主流入口
３  主流出接続部
４  主流出口
５  主流路
６  分流流出路
７  分流流出接続部
８  分流流出口
９  分流流入路
１０  分流流入接続部
１１  分流流入口
１３  ねじ部
１４  つば部
１５  ナット
１６  パッキン
１７  補助プレート
３２  パイプ
３４  分流流出管
３６  分流流入管
３７  ポンプ
【図１】
0003645214.tif 000002
【図２】
0003645214.tif 000003
【図３】
0003645214.tif 000004